(57)【要約】  冷蔵庫は、被冷却物が貯蔵される冷蔵室と冷蔵室よりも低温で製氷する製氷室とが形成された箱状の断熱箱体と、冷蔵室と製氷室との間に設けられ、冷蔵室と製氷室との間の熱の伝達を遮断する断熱壁と、を備え、断熱壁には、断熱壁の温度を上昇させる加熱装置が設けられる。
2021009895.tif 000002
【特許請求の範囲】
【請求項１】
被冷却物が貯蔵される冷蔵室と前記冷蔵室よりも低温で製氷する製氷室とが形成された箱状の断熱箱体と、
前記冷蔵室と前記製氷室との間に設けられ、前記冷蔵室と前記製氷室との間の熱の伝達を遮断する断熱壁と、を備え、
前記断熱壁には、
前記断熱壁の温度を上昇させる加熱装置が設けられる
冷蔵庫。
【請求項２】
前記製氷室の内部には、
氷を製造する製氷部と前記製氷部が製造した氷を貯蔵する貯氷部とが設けられ、
前記断熱壁は、
熱移動を抑制する断熱材からなり、前記製氷部及び前記貯氷部を囲む断熱部を有する
請求項１に記載の冷蔵庫。
【請求項３】
前記加熱装置は、
前記断熱部の内部に設けられ、前記断熱部の温度を上昇させる断熱部加熱装置である
請求項２に記載の冷蔵庫。
【請求項４】
前記断熱壁は、
前記断熱部の外面に格子状に配置され、前記断熱部の外側の空間を複数の区画領域に区画する複数の長尺状のリブ部材と、
前記リブ部材を覆い、それぞれの前記区画領域に空気を封止するシーリング部と、を更に有する
請求項２又は請求項３に記載の冷蔵庫。
【請求項５】
前記加熱装置は、
前記断熱部の外側に設けられ、前記区画領域の温度を上昇させる区画加熱装置である
請求項４に記載の冷蔵庫。
【請求項６】
前記リブ部材は、
中空をなしており、
前記加熱装置は、
前記リブ部材の内部に挿入され、前記リブ部材の温度を上昇させるリブ加熱装置である
請求項４又は請求項５に記載の冷蔵庫。
【請求項７】
前記リブ加熱装置は、
複数の前記リブ部材に挿入され、
それぞれの前記リブ加熱装置の動作を個別に制御する制御装置を更に備える
請求項６に記載の冷蔵庫。
【請求項８】
前記リブ加熱装置は、
線状に形成され、通電されることで発熱する線ヒータである
請求項６又は請求項７に記載の冷蔵庫。
【請求項９】
被冷却物が貯蔵される冷蔵室と前記冷蔵室よりも低温で製氷する製氷室とが形成された箱状の断熱箱体と、
前記冷蔵室と前記製氷室との間に設けられ、前記冷蔵室と前記製氷室との間の熱の伝達を遮断する断熱壁と、を備え、
前記製氷室の内部には、
氷を製造する製氷部と前記製氷部が製造した氷を貯蔵する貯氷部とが設けられ、
前記断熱壁は、
熱移動を抑制する断熱材からなり、前記製氷部及び前記貯氷部を囲む断熱部と、
前記断熱部の外面に格子状に配置され、前記断熱部の外側の空間を複数の区画領域に区画する複数の長尺状のリブ部材と、
前記リブ部材を覆い、それぞれの前記区画領域に空気を封止するシーリング部と、を有する
冷蔵庫。
【請求項１０】
前記リブ部材のうち、前記断熱箱体の奥行方向に延びるように設けられる前記リブ部材は、
前記断熱箱体の後方に向かって、低くなるように傾斜している
請求項４〜請求項９のいずれか１項に記載の冷蔵庫。
【請求項１１】
前記断熱壁の幅方向の一側壁は、
前記断熱箱体の内壁に接触すると共に、幅方向の他側壁より厚さが薄い
請求項１〜請求項１０のいずれか１項に記載の冷蔵庫。
【請求項１２】
前記冷蔵室の温度を切り替える制御装置を更に備える
請求項１〜請求項１１のいずれか１項に記載の冷蔵庫。
【発明の詳細な説明】
【技術分野】
【０００１】
本発明は、製氷室を備える冷蔵庫に関する。
【背景技術】
【０００２】
従来、冷蔵室及び冷凍室を備えた冷蔵庫において、利用者に氷を提供する製氷室が設けられた冷蔵庫が知られている。このような冷蔵庫は、製氷室の内部に格納された製氷ユニットによって製造され、一時的に貯蔵されていた氷を提供するものである。特許文献１には、冷蔵室のドアの内側に断熱壁によって囲まれた製氷室が形成されると共に、製氷室に冷気を供給する流路が構成された冷蔵庫が開示されている。特許文献１の冷蔵庫は、これにより、製氷ユニットが冷凍室に設けられる場合と同等の製氷作用を維持しつつ、冷凍室の空間を確保しようとするものである。
【先行技術文献】
【特許文献】
【０００３】
【特許文献１】特許第４６９００５９号公報
【発明の概要】
【発明が解決しようとする課題】
【０００４】
しかしながら、特許文献１に開示された冷蔵庫は、製氷室内部の温度が冷蔵室内部の温度より著しく低い場合等において、断熱壁が冷蔵室の露点以下の温度に低下しうる。したがって、断熱壁における冷蔵室に接触する面に、結露が生じる虞がある。【０００５】
本発明は、上記のような課題を解決するためになされたもので、断熱壁における冷蔵室に接触する面に結露が生じることを抑制する冷蔵庫を提供するものである。
【課題を解決するための手段】
【０００６】
本発明に係る冷蔵庫は、被冷却物が貯蔵される冷蔵室と冷蔵室よりも低温で製氷する製氷室とが形成された箱状の断熱箱体と、冷蔵室と製氷室との間に設けられ、冷蔵室と製氷室との間の熱の伝達を遮断する断熱壁と、を備え、断熱壁には、断熱壁の温度を上昇させる加熱装置が設けられる。
【発明の効果】
【０００７】
本発明に係る冷蔵庫の断熱壁は、加熱装置を有している。このため、断熱壁の温度は、上昇し、露点以下に低下しない。したがって、断熱壁における冷蔵室に接触する面に、結露が生じることを抑制することができる。
【図面の簡単な説明】
【０００８】
【図１】実施の形態１に係る冷蔵庫１００を示す正面図である。
【図２】実施の形態１に係る冷蔵庫１００を示す断面図である。
【図３】実施の形態１に係る冷蔵庫１００を示す断面図である。
【図４】実施の形態１に係る冷蔵庫１００を示す断面図である。
【図５】実施の形態１に係る製氷ユニット３を示す側面図である。
【図６】実施の形態１に係る製氷ユニット３を示す側面図である。
【図７】実施の形態１に係る断熱壁４を示す正面図である。
【図８】実施の形態１に係る断熱壁４を示す正面図である。
【図９】実施の形態１に係る製氷ユニット３及び断熱壁４を示す側面図である。
【図１０】実施の形態１に係る冷蔵庫１００を示す断面図である。
【図１１】実施の形態１に係る冷蔵庫１００を示す断面図である。
【図１２】実施の形態２に係るリブ部材１６３を示す側面図である。
【図１３】実施の形態２に係る断熱壁１０４を示す正面図である。
【図１４】実施の形態２に係る断熱壁１０４を示す正面図である。
【図１５】実施の形態２に係る製氷ユニット３及び断熱壁１０４を示す側面図である。
【図１６】実施の形態２の変形例に係る断熱壁１０４を示す正面図である。
【図１７】実施の形態２の変形例に係る製氷ユニット３及び断熱壁１０４を示す側面図である。
【図１８】実施の形態３に係る断熱壁２０４を示す側面図である。
【図１９】実施の形態４に係る断熱壁３０４を示す正面図である。
【発明を実施するための形態】
【０００９】
実施の形態１．
以下、実施の形態１に係る冷蔵庫１００について、図面を参照しながら説明する。図１は、実施の形態１に係る冷蔵庫１００を示す正面図である。図２は、実施の形態１に係る冷蔵庫１００を示す断面図である。図３は、実施の形態１に係る冷蔵庫１００を示す断面図である。そして、図４は、実施の形態１に係る冷蔵庫１００を示す断面図である。図１から図４に示すように、冷蔵庫１００は、断熱箱体１、冷却装置２、製氷ユニット３、断熱壁４、搬送ダクト５、ディスプレイ６及び制御装置７を有している。
【００１０】
（断熱箱体１）
断熱箱体１は、略直方体の箱状であり、鋼鉄製の外箱、樹脂製の内箱及び外箱と内箱との間に充填された断熱材からなる。断熱材は、例えばウレタンフォームである。断熱箱体１の内部は、断熱材からなり水平方向に延びる仕切壁１１によって、上部を上部室１２、中部から下部を中下部室１３として仕切られる。断熱箱体１は、上部扉１４及び中下部扉１５を有する。上部扉１４は、断熱箱体１の正面において、上部室１２を覆うように断熱箱体１に取り付けられる。上部扉１４は、２枚からなり、観音開き式に取り付けられる。また、中下部扉１５は、断熱箱体１の正面において、中下部室１３を覆うように断熱箱体１に取り付けられる。中下部扉１５は、２枚からなり、観音開き式に取り付けられる。中下部扉１５の前面には、搬送ダクト５が格納される窪みであるディスペンサ部８が形成されている。なお、上部扉１４及び中下部扉１５は、それぞれ１枚の扉からなるものであってもよい。
【００１１】
上部室１２には、冷凍室２１が形成されている。中下部室１３には、冷蔵室２２が形成されると共に、中下部室１３の上部の一側方に製氷室２３が形成されている。このように、冷蔵庫１００は、上部に冷凍室が形成されたトップフリーザ型の形態である。なお、冷蔵庫１００は、トップフリーザ型に限定されるものではない。製氷室２３は、冷蔵室２２との間の熱の伝達を遮断する断熱壁４に囲まれている。即ち、断熱壁４は、冷蔵室２２と製氷室２３との間に設けられている。
【００１２】
また、断熱箱体１には、供給風路１６及び返還風路１７が形成されている。供給風路１６は、断熱箱体１の後方の略全高にわたり形成され、冷却装置２から冷凍室２１、冷蔵室２２及び製氷室２３のそれぞれに供給される冷気が通る風路である。冷凍室２１と供給風路１６とは、冷凍室後壁１８によって区画されている。冷凍室後壁１８には、開口である冷凍室風路穴３８が形成され、冷凍室風路穴３８によって冷凍室２１と供給風路１６とが連通している。また、冷蔵室２２と供給風路１６とは、冷蔵室後壁１９によって区画されている。冷蔵室後壁１９には、開口である冷蔵室風路穴３９が複数形成され、冷蔵室風路穴３９によって冷蔵室２２と供給風路１６とが連通している。そして、製氷室２３は、断熱壁４に形成された開口である製氷室風路穴６１を介して、供給風路１６と連通している。返還風路１７は、仕切壁１１の内部に形成され、冷蔵室２２から冷却装置２に冷気が流れる風路である。返還風路１７は、冷気が流入する開口である返還風路入口３６が仕切壁１１の前方に形成され、冷気が流出する開口である返還風路出口３７が仕切壁１１の後方に形成される。
【００１３】
（冷却装置２）
冷却装置２は、断熱箱体１の内部を冷却するものである。冷却装置２は、圧縮機４１、凝縮器（図示せず）、膨張部（図示せず）、冷却器４２、送風ファン４３及びダンパ４４を有する。圧縮機４１は、低温且つ低圧の冷媒を吸入し、吸入した冷媒を圧縮して高温且つ高圧の状態の冷媒にして吐出するものである。凝縮器は、高温且つ高圧の冷媒と空気との間で熱交換をするものである。膨張部は、冷媒を減圧して膨張させる減圧弁又は膨張弁である。冷却器４２は、供給風路１６の上流に設けられ、蒸発器として低温且つ低圧の冷媒と空気との間で熱交換をするものであり、空気を冷却する。送風ファン４３は、供給風路１６において、冷却器４２の上方に設けられ、冷却器４２によって生成された冷気を冷凍室２１に吹き出すものである。ダンパ４４は、供給風路１６において、製氷室風路穴６１及び冷蔵室風路穴３９それぞれの上流に位置するように断熱箱体１に設けられる。ダンパ４４は、開度が調整されることで、製氷室２３及び冷蔵室２２に送られる冷気の量を制御するものである。
【００１４】
ここで、冷却装置２の動作について説明する。冷蔵庫１００運転時において、圧縮機４１に吸入された冷媒は、圧縮機４１によって圧縮されて高温且つ高圧のガス状態で吐出される。圧縮機４１から吐出された高温且つ高圧のガス状態の冷媒は、凝縮器に流入する。凝縮器に流入した冷媒は、空気と熱交換されて凝縮し、液化する。液状態の冷媒は、膨張部に流入し、減圧及び膨張されて、低温且つ低圧の気液二相状態の冷媒となる。気液二相状態の冷媒は、蒸発器として作用する冷却器４２に流入する。冷却器４２に流入した冷媒は、空気と熱交換されて蒸発し、ガス化する。この時、冷却された空気によって、断熱箱体１の内部の冷却が行われる。その後、蒸発した低温且つ低圧のガス状態の冷媒は、圧縮機４１に吸入される。
【００１５】
（冷凍室２１）
冷凍室２１は、−１８℃以下の冷凍温度帯に保たれ、食品等の被冷却物を冷凍し、貯蔵する空間である。
【００１６】
（冷蔵室２２）
冷蔵室２２は、３〜６℃を中心とした冷蔵温度帯に保たれ、食品等の被冷却物を冷蔵し、貯蔵する空間である。なお、冷蔵室２２において、温度が３〜６℃であり、相対湿度が５０％〜６０％の場合、露点は、−４〜−１℃である。冷蔵室２２は、水平方向に複数の棚３１が設置される。棚３１の上には、食品等が載置され、冷蔵される。また、冷蔵室２２には、チルド室３３及び野菜室３２が形成されている。
【００１７】
（チルド室３３）
チルド室３３は、例えば、最上部の棚３１の上に形成され、冷蔵室２２の内部で特に温度が低く、且つ、食品等が凍結しない温度帯に保たれる空間である。チルド室３３は、上面が開口した箱状の収納容器３４に囲まれる。収納容器３４は、例えば、ポリスチレン製である。更に、仕切壁１１には、チルド室内扉３５が下方に垂れるように設けられ、チルド室３３の前面上部を覆っている。これにより、チルド室３３は、断熱性が高められる。ここで、収納容器３４の下部には、（図示せず）が設けられ、棚３１には、レール（図示せず）が設けられている。ユーザが取っ手を用いて、収納容器３４をレールに沿って前面に引き出すことで、チルド室内扉３５は、上方に回動し、開かれる。なお、チルド室内扉３５は、仕切壁１１ではなく、断熱箱体１の内側の側部に設けられていてもよい。また、レールは形成されていなくてもよい。また、チルド室３３は、制御装置７によって、約−３℃の温度帯と約１℃の温度帯とに切り換えられる。これにより、保存する食品に適した温度帯を選択することができ、利便性が向上する。
【００１８】
（野菜室３２）
野菜室３２は、例えば、最下部の棚３１の下に形成され、冷蔵室２２の内部で、３〜９℃の温度帯に保たれる空間である。野菜室３２は、主に野菜が貯蔵され、温度以外に湿度が調整されてもよい。
【００１９】
（製氷室２３）
製氷室２３は、−１２〜−７℃に保たれ、氷を製造し、貯蔵する空間である。製氷室２３は、断熱壁４に囲まれ、製氷ユニット３が設けられている。
【００２０】
（製氷ユニット３）
図５は、実施の形態１に係る製氷ユニット３を示す側面図である。図６は、実施の形態１に係る製氷ユニット３を示す側面図である。図５及び図６に示すように、製氷ユニット３は、製氷部５１、貯氷部５２及び砕氷部５３を有するものである。製氷部５１及び貯氷部５２は、製氷室２３の内部に設けられ、砕氷部５３は、製氷室２３の前面を覆うように位置する。製氷部５１は、冷却装置２で生成された冷気によって、氷を製造するものである。貯氷部５２は、製氷部５１によって製造された氷を一時的に貯蔵するものである。
【００２１】
砕氷部５３は、貯氷部５２と一体的に形成され、貯氷部５２に貯蔵されている氷を粉砕するものである。砕氷部５３は、貯氷部５２から砕氷部５３に氷を引き込む氷回収部５４及び氷回収部５４によって引き込まれた氷を砕氷する砕氷部本体５５を有する。氷回収部５４は、棒状部材５６にスクリュー状部材５７が設けられた形状をしており、棒状の部材を軸として回転する。棒状部材５６が回転する際に、スクリュー状部材５７に引っ掛かった貯氷部５２に貯蔵されている氷は、砕氷部本体５５の内部に引き込まれる。砕氷部本体５５の内部には、金属製の刃（図示せず）が設けられている。氷回収部５４によって引き込まれた氷は、モータ（図示せず）によって回転する刃によって砕かれ、砕氷部５３の下部に設けられた開口の径より氷が小さくなると、砕氷部本体５５から排出される。なお、製氷室２３が−７〜−１２℃に保たれているため、氷は、長時間保存されていても、表面が固くなり過ぎず、容易に破砕される。また、砕氷部５３は、製氷室２３の内部の冷気を封止し、製氷室２３の内扉として機能する。砕氷部５３の前面には、取っ手（図示せず）が設けられており、ユーザは、取っ手を用いて、砕氷部５３及び貯氷部５２を手前に引き出すことができる。
【００２２】
（断熱壁４）
図７は、実施の形態１に係る断熱壁４を示す正面図である。図８は、実施の形態１に係る断熱壁４を示す正面図である。そして、図９は、実施の形態１に係る製氷ユニット３及び断熱壁４を示す側面図である。図７から図９に示すように、断熱壁４は、冷蔵室２２と製氷室２３との間において、製氷部５１及び貯氷部５２を囲むように設けられ、冷蔵室２２と製氷室２３との間の熱の伝達を遮断するものである。断熱壁４は、熱移動を抑制する断熱材からなる断熱部６２を有する。断熱壁４の幅方向の一側壁は、断熱箱体１の内壁に接触すると共に、幅方向の他側壁より厚さが薄い。また、断熱壁４には、加熱装置が設けられている。加熱装置は、例えば、ヒータであり、断熱部６２の内部に設けられる断熱部加熱装置７１である。圧縮機４１が稼働している際に、断熱部加熱装置７１は、通電され、発熱する。これにより、断熱部６２の温度が上昇する。また、概して、圧縮機４１が稼働していない際は、冷蔵室２２の温度が低下しない。このため、冷蔵室２２内部の水分が飽和せず、結露が生じ難い。したがって、断熱部加熱装置７１は、圧縮機４１が稼働している際のみに通電されるものとしてもよい。
【００２３】
図１０は、実施の形態１に係る冷蔵庫１００を示す断面図である。図１１は、実施の形態１に係る冷蔵庫１００を示す断面図である。ここで、図１０及び図１１を用いて、冷却装置２によって生成された冷気の流れについて、説明する。先ず、冷却器４２で生成された冷気は、一部が送風ファン４３によって上部室１２方向に送られ、その余の部分が中下部室１３方向に流れる。中下部室１３方向に流れた冷気は、ダンパ４４によって流量を制御されつつ、冷凍室２１、製氷室２３及び冷蔵室２２に送られる。次に、冷蔵室２２に供給された冷気は、それぞれの棚３１の上を後方から前方に流れる。この時、棚３１に載置された食品等の被冷却物の冷却が行われる。そして、棚３１に流れる冷気は、断熱箱体１の内部の前面において、下方から上方へ緩やかに上昇し、仕切壁１１に形成された返還風路入口３６から返還風路１７へ流入し、返還風路出口３７から再び冷却器４２方向に送られる。
【００２４】
（ディスペンサ部８、搬送ダクト５、ディスプレイ６）
ディスペンサ部８は、中下部扉１５の前面に形成された窪みであり、上部に搬送ダクト５が格納されている。また、ディスペンサ部８の下部には、氷を入れる容器（図示せず）が載置される。搬送ダクト５は、砕氷部５３と連通し、氷を吐出する管である。なお、搬送ダクト５は、氷だけでなく、冷水も吐出できるようにされていてもよい。ディスプレイ６は、中下部扉１５の前面において、ディスペンサ部８の上方に設けられている。ユーザは、ディスプレイ６を操作して、細かく砕かれた氷を搬送ダクト５から吐出させるか、貯氷部５２に貯蔵されている状態の氷を砕氷せずに吐出させるかを選択する。
【００２５】
ここで、製造された氷の利用方法について、説明する。ディスプレイ６に備えられた操作ボタンが操作されると、貯氷部５２に貯蔵されていた氷は、砕氷部５３を通って、搬送ダクト５から吐出される。この際、ディスプレイ６で選択された操作により、制御装置７は、氷を粉砕するか否かを判別する。砕氷部５３は、氷が砕かれるように選択された場合は、前述のとおり、砕氷部５３の下部に設けられた開口の径より小さくなるまで砕氷し、氷が砕かれないように選択された場合は、貯氷部５２に貯蔵されている氷をそのまま搬送ダクト５へ送る。この時、ディスペンサ部８に置かれた容器に氷が供給される。なお、ユーザが大量の氷が望んだり、氷の残数の確認が必要になったりする場合、中下部扉１５を開け、砕氷部５３及び貯氷部５２を手前に引き出すことで、貯氷部５２の内部を確認することができる。
【００２６】
（制御装置７）
制御装置７は、断熱箱体１の後方且つ下部に設けられている。制御装置７は、ダンパ４４の開度、圧縮機４１の出力及び送風ファン４３の送風量等を制御することで、冷凍室２１、冷蔵室２２及び製氷室２３の各空間の温度が設定された温度になるように調整するものである。
【００２７】
本実施の形態１によると、断熱壁４には、加熱装置が設けられている。このため、断熱壁４の冷蔵室２２に接触する面の温度は、上昇し、露点以下に低下しない。したがって、断熱壁４における冷蔵室２２に接触する面に、結露が生じることを抑制することができる。
【００２８】
また、本実施の形態１によると、断熱壁４は、熱移動を抑制する断熱材からなり、氷を製造する製氷部５１と製氷部５１が製造した氷を貯蔵する貯氷部５２とを囲む断熱部６２を有する。すなわち、断熱壁４は、中下部室１３の内部において、温度の差が最大になる部分を覆う。これにより、冷蔵室２２に接触する面の温度は、上昇し、露点以下に低下しない。したがって、断熱壁４における冷蔵室２２に接触する面に、結露が生じることを抑制することができる。
【００２９】
更に、本実施の形態１によると、加熱装置は、断熱部６２の内部に設けられ、断熱部６２の温度を上昇させる断熱部加熱装置７１である。このため、断熱壁４の冷蔵室２２に接触する面の温度は、上昇し、露点以下に低下しない。したがって、断熱壁４における冷蔵室２２に接触する面に、結露が生じることをより確実に抑制することができる。
【００３０】
また、更に、本実施の形態１によると、断熱壁４の幅方向の一側壁は、断熱箱体１の内壁に接触すると共に、幅方向の他側壁より厚さが薄い。この際においても、断熱箱体１の内壁に接触する一側壁及び冷蔵室２２に接触する他側壁は、それぞれ、十分に断熱効果を保つことができる。即ち、断熱壁４の冷蔵室２２に接触する面の温度は、上昇し、露点以下に低下しない。したがって、断熱壁４全体として、用いられる部材の量を制限しつつも、断熱壁４における冷蔵室２２に接触する面に、結露が生じることを抑制することができる。
【００３１】
なお、本実施の形態１によると、冷蔵室２２の温度を切り替える制御装置７を更に備える。概して、温度が高い状態から低い状態に切り替わる際において、冷蔵室２２の内部の水分が飽和し易い。したがって、断熱壁４の冷蔵室２２に接触する面に結露が生じやすい。このような環境においても、本実施の形態１の断熱壁４は、加熱装置を有しているため、断熱壁４における冷蔵室２２に接触する面の温度は、上昇し、露点以下に低下しない。したがって、断熱壁４の冷蔵室２２に接触する面に、結露が生じることを抑制することができる。
【００３２】
また、概して、返還風路入口３６が断熱箱体１の前方側ではなく背面側にある場合、冷却風の風速をある程度確保しなければ、冷蔵室風路穴３９から吹き出される冷気は、ショートパスしうる。冷気がショートパスをすることを抑制するため、冷蔵室風路穴３９から吹き出される冷気は、食品の保存に対して過度な風速で吹き出される。これにより、冷蔵室風路穴３９付近の被冷却物が意図せず、凍結してしまう虞がある。また、断熱箱体１の前側に返還風路入口３６がある場合であっても、返還風路１７が冷蔵室２２の下側に形成される場合には、肉汁などの食品汁又は食品滓がこぼれ落ちることで、返還風路１７が詰まる虞がある。
【００３３】
これに対して、本実施の形態１において、各冷蔵室風路穴３９は、断熱箱体１の後方に形成されると共に、返還風路入口３６が仕切壁１１の前方に形成されている。このため、冷蔵室風路穴３９と返還風路入口３６との距離が十分に確保され、冷気は、風速を遅くしても、ショートパスせずに各室を効率的に冷却できる。したがって、冷蔵室風路穴３９付近の食品を意図せず凍結させない。更に、仕切壁１１は、中下部室１３の上方に位置している。このため、肉汁などの食品汁又は食品滓をこぼれ落ちても、返還風路入口３６が詰まる虞がない。
【００３４】
実施の形態２．
図１２は、実施の形態２に係るリブ部材１６３を示す側面図である。図１３は、実施の形態２に係る断熱壁１０４を示す正面図である。そして、図１４は、実施の形態２に係る断熱壁１０４を示す正面図である。図１２から図１４に示すように、本実施の形態２の断熱壁１０４は、リブ部材１６３及びシーリング部１６５を更に有し、加熱装置が断熱部１６２の外側に設けられる区画加熱装置１７３である点で実施の形態１と相違する。本実施の形態２では、実施の形態１と同一の部分は同一の符合を付して説明を省略し、実施の形態１との相違点を中心に説明する。
【００３５】
（断熱部１６２）
断熱壁１０４は、冷蔵室２２と製氷室２３との間において、製氷部５１及び貯氷部５２を囲むように設けられ、熱移動を抑制する断熱材からなる断熱部１６２を有する。実施の形態１の断熱部６２と異なり、実施の形態２の断熱部１６２の内部には、加熱装置が設けられていない。なお、断熱部１６２は、内部に加熱装置が設けられてもよい。
【００３６】
（リブ部材１６３）
リブ部材１６３は、長尺状であり、断熱部１６２の外面における冷蔵室２２に接する面に格子状に複数配置され、断熱部１６２の外側の空間を複数の区画領域１６４に区画する。即ち、区画領域１６４は、リブ部材１６３に囲まれる空隙である。リブ部材１６３は、例えば、樹脂製である。リブ部材１６３の厚さ及び区画領域１６４の厚さは、３ｍｍ以下である。なお、それぞれのリブ部材１６３には、複数の窪み（図示せず）が形成されており、交差するリブ部材１６３同士が組み合わせられる際には、それぞれの窪みが嵌め合わされる。また、幾つかの区画領域１６４には、リブ部材１６３の耐久性を維持するスペーサ（図示せず）が設けられていてもよい。
【００３７】
リブ部材１６３のうち、断熱箱体１０１の奥行方向に延びるように設けられるリブ部材１６３は、断熱箱体１０１の後方に向かって、低くなるように傾斜している。なお、傾斜角θは、約１〜２℃である。また、製氷室２３後方には、排水経路（図示せず）が設けられている。これにより、区画領域１６４に生じた露が後方に流れ、排水経路から冷蔵庫２００の機械室（図示せず）に導かれる。
【００３８】
（シーリング部１６５）
シーリング部１６５は、リブ部材１６３を覆い、それぞれの区画領域１６４に空気を封止する。シーリング部１６５は、例えば、樹脂部材である。なお、シーリング部１６５は、直接リブ部材１６３に取り付けられてもよいし、リブ部材１６３とシーリング部１６５とが接合する部分をゴム又はシリコンによって密閉し、区画領域１６４に外部の空気が流れ込まないようにしてもよい。また、シーリング部１６５を設ける際に、除湿などを行って、水分の含有量を少なくした空気を封止するようにしてもよい。このように、リブ部材１６３及びシーリング部１６５によって、区画領域１６４に空気が封止され、対流が抑えられた空気の層が形成されているため、断熱壁１０４は、高い断熱性能を有する。なお、一部の区画領域１６４は、リブ部材１６３の交差する部分の窪みをリブ部材１６３の幅より大きくすることで、隣り合う区画領域１６４と連通していてもよい。これにより、前述のように、区画領域１６４に生じた露を後方に流すための空間を確保することができる。なお、この際においても、区画領域１６４の断熱性能が低下することは、抑制される。
【００３９】
（区画加熱装置１７３）
先述のように、実施の形態２において、断熱壁１０４に設けられる加熱装置は、断熱部１６２の外側に設けられ、区画領域１６４の温度を上昇させる区画加熱装置１７３である。なお、区画加熱装置１７３は、複数の区画領域１６４の温度を上昇させるように配置されても良い。区画領域１６４には、空気が封止されているため、区画加熱装置１７３が発する熱が集中し、断熱壁１０４の温度は、効率的に上昇する。
【００４０】
図１５は、実施の形態２に係る製氷ユニット３及び断熱壁１０４を示す側面図である。概して、図１４に示すように、製氷室風路穴１６１が製氷室２３の奥側且つ冷蔵室２２寄りに形成されている場合、製氷室２３の冷蔵室２２に接触する面のうち、奥側の温度がより低下しうる。この場合、図１５に示すように、区画加熱装置１７３は、製氷室２３の奥側に配置され、更に、設置数を多くしたり、大きいものが用いられたりすることで、冷蔵室２２の奥側の区画領域１６４の温度を集中的に上昇させるように配置される。
【００４１】
本実施の形態２によれば、断熱壁１０４は、断熱部１６２の外面に格子状に配置され、リブ部材１６３及びシーリング部１６５を有する。これにより、断熱壁１０４は、高い断熱性を有するため、製氷室２３内部と冷蔵室２２との間で熱の伝達が抑制される。また、更に、断熱壁１０４は、加熱装置を有する。このため、断熱壁１０４の冷蔵室２２に接触する面の温度は、上昇し、露点以下に低下しない。したがって、断熱壁１０４における冷蔵室２２に接触する面に、結露が生じることをより確実に抑制することができる。
【００４２】
また、本実施の形態２によれば、加熱装置は、断熱部１６２の外側に設けられ、前記区画領域１６４の温度を上昇させる区画加熱装置１７３である。これにより、製氷室風路穴１６１の位置によって、必要な区画領域１６４の温度だけを上昇させるように区画加熱装置１７３を配置し、断熱壁１０４の温度を効率的に上昇させることができる。したがって、断熱壁１０４全域に加熱装置を配置するより低消費電力で、断熱壁１０４における冷蔵室２２に接触する面に、結露が生じることを抑制することができる。
【００４３】
更に、本実施の形態２によれば、リブ部材１６３のうち、断熱箱体１０１の奥行方向に延びるように設けられる前記リブ部材１６３は、断熱箱体１０１の後方に向かって、低くなるように傾斜している。このため、リブ部材１６３上の水滴は、断熱箱体１０１の後方且つ下方へと移動する。したがって、区画領域１６４内で結露が発生した際も、結露水を製氷室２３の外部に排出することができる。
【００４４】
（実施の形態２の変形例）
図１６は、実施の形態２の変形例に係る断熱壁１０４を示す正面図である。図１７は、実施の形態２の変形例に係る製氷ユニット３及び断熱壁１０４を示す側面図である。図１６に示すように、製氷室風路穴１６１が断熱箱体１０１の側部寄りに配置されている。この場合は、断熱壁１０４のうち、冷蔵室２２に接している壁面の温度低下は緩やかとなる。この際、図１７に示すように、区画加熱装置１７３の設置数は、少なくされたり、小さい区画加熱装置１７３が用いられたりしても、断熱壁１０４の温度は、上昇する。区画加熱装置１７３の消費電力が抑えられる。このように、製氷室風路穴１６１の位置によって、必要な区画領域１６４の温度だけを上昇させるように区画加熱装置１７３を配置し、断熱壁１０４の温度を効率的に上昇させることができる。
【００４５】
実施の形態３．
図１８は、実施の形態３に係る断熱壁２０４を示す側面図である。図１８に示すように、本実施の形態３は、加熱装置がリブ部材２６３の内部に設けられるリブ加熱装置２７２である点で実施の形態２と相違する。本実施の形態３では、実施の形態２と同一の部分は同一の符合を付して説明を省略し、実施の形態２との相違点を中心に説明する。
【００４６】
（断熱部２６２）
断熱壁２０４は、冷蔵室２２と製氷室２３との間において、製氷部５１及び貯氷部５２を囲むように設けられ、熱移動を抑制する断熱材からなる断熱部２６２を有する。実施の形態２の断熱部１６２と異なり、実施の形態３の断熱部２６２の外側には、加熱装置が設けられていない。なお、断熱部２６２の外側には、加熱装置が設けられてもよい。
【００４７】
（リブ部材２６３）
リブ部材２６３は、内部が中空であり、Ｕ字状をなしている。なお、リブ部材２６３は、内部にリブ加熱装置２７２を挿入できる形状であればよい。また、リブ部材２６３の断熱部２６２からの厚さは、約３ｍｍである。
【００４８】
（リブ加熱装置２７２）
リブ加熱装置２７２は、線状に形成され、通電されることで発熱する線ヒータである。線ヒータは、直径が約２ｍｍである。線ヒータは、複数のリブ部材２６３の内部に挿入される。なお、リブ加熱装置２７２は、線ヒータに限定されず、リブ部材２６３の内部に挿入できるものであれば、例えば、熱交換器又はペルチェ素子等でもよい。
【００４９】
（制御装置２０６）
制御装置２０６は、必要な箇所のみのリブ部材２６３の温度を上昇させるように、各線ヒータ毎に通電制御を行う。なお、リブ加熱装置２７２が線ヒータ以外のものであっても、制御装置２０６は、制御を行うようにしてもよい。
【００５０】
本実施の形態３によれば、リブ部材２６３は、中空をなしており、加熱装置は、リブ部材２６３の内部に挿入され、リブ部材２６３の温度を上昇させるリブ加熱装置２７２である。これにより、製氷室風路穴６１の位置によって、必要なリブ部材２６３の温度だけを上昇させるようにリブ加熱装置２７２を配置し、断熱壁２０４の温度を効率的に上昇させることができる。したがって、断熱壁２０４全域に加熱装置を配置するより低消費電力で、断熱壁２０４の冷蔵室２２に接触する面に、結露が生じることを抑制することができる。
【００５１】
また、本実施の形態３によれば、冷蔵庫３００は、複数のリブ部材２６３に挿入されるリブ加熱装置２７２及びそれぞれのリブ加熱装置２７２の動作を個別に制御する制御装置２０６を備える。このため、リブ加熱装置２７２がそれぞれのリブ部材２６３に挿入された製氷室２３において、発熱させるリブ加熱装置２７２を冷蔵庫の形態に合わせて選択することができる。したがって、製氷室２３を異なる形態の冷蔵庫と共通させることができる。
【００５２】
また、更に、本実施の形態３によれば、リブ部材２６３は、線状に形成され、通電されることで発熱する線ヒータである。このため、冷蔵庫３００の運転時に通電することで、リブ部材２６３の温度が上昇する。これにより、断熱壁２０４の冷蔵室２２に接触する面の温度は、上昇し、露点以下に低下しない。したがって、断熱壁２０４における冷蔵室２２に接触する面に、結露が生じることを確実に抑制することができる。
【００５３】
実施の形態４．
図１９は、実施の形態４に係る断熱壁３０４を示す正面図である。図１９に示すように、本実施の形態４は、冷蔵庫４００が加熱装置を有していない点で実施の形態２と相違する。本実施の形態４では、実施の形態２と同一の部分は同一の符合を付して説明を省略し、実施の形態２との相違点を中心に説明する。
【００５４】
（断熱壁３０４）
断熱壁３０４は、断熱部３６２、リブ部材３６３及びシーリング部３６５からなり、断熱壁３０４の温度を上昇させる加熱装置は、設けられていない。
【００５５】
本実施の形態４によれば、断熱壁３０４には、加熱装置が設けられていない。しかしながら、断熱壁３０４は、熱移動を抑制する断熱材からなる断熱部３６２及び空気が封止されている区画領域３６４により、冷蔵室２２と製氷室２３との間の熱の伝達を抑制する。このため、断熱壁３０４の冷蔵室２２に接触する面の温度は、断熱壁３０４が発熱装置を有していなくても、露点以下に低下しない。したがって、より消費電力を抑えつつ、断熱壁３０４における冷蔵室２２に接触する面に、結露が生じることを抑制することができる。
【符号の説明】
【００５６】
１  断熱箱体、２  冷却装置、３  製氷ユニット、４  断熱壁、５  搬送ダクト、６  ディスプレイ、７  制御装置、８  ディスペンサ部、１１  仕切壁、１２  上部室、１３  中下部室、１４  上部扉、１５  中下部扉、１６  供給風路、１７  返還風路、１８  冷凍室後壁、１９  冷蔵室後壁、２１  冷凍室、２２  冷蔵室、２３  製氷室、３１  棚、３２  野菜室、３３  チルド室、３４  収納容器、３５  チルド室内扉、３６  返還風路入口、３７  返還風路出口、３８  冷凍室風路穴、３９  冷蔵室風路穴、４１  圧縮機、４２  冷却器、４３  送風ファン、４４  ダンパ、５１  製氷部、５２  貯氷部、５３  砕氷部、５４  氷回収部、５５  砕氷部本体、５６  棒状部材、５７  スクリュー状部材、６１  製氷室風路穴、６２  断熱部、７１  断熱部加熱装置、１００  冷蔵庫、１０１  断熱箱体、１０４  断熱壁、１６１  製氷室風路穴、１６２  断熱部、１６３  リブ部材、１６４  区画領域、１６５  シーリング部、１７３  区画加熱装置、２００  冷蔵庫、２０４  断熱壁、２０６  制御装置、２６２  断熱部、２６３  リブ部材、２７２  リブ加熱装置、３００  冷蔵庫、３０４  断熱壁、３６２  断熱部、３６３  リブ部材、３６４  区画領域、３６５  シーリング部、４００  冷蔵庫。
【図１】
2021009895.tif 000003
【図２】
2021009895.tif 000004
【図３】
2021009895.tif 000005
【図４】
2021009895.tif 000006
【図５】
2021009895.tif 000007
【図６】
2021009895.tif 000008
【図７】
2021009895.tif 000009
【図８】
2021009895.tif 000010
【図９】
2021009895.tif 000011
【図１０】
2021009895.tif 000012
【図１１】
2021009895.tif 000013
【図１２】
2021009895.tif 000014
【図１３】
2021009895.tif 000015
【図１４】
2021009895.tif 000016
【図１５】
2021009895.tif 000017
【図１６】
2021009895.tif 000018
【図１７】
2021009895.tif 000019
【図１８】
2021009895.tif 000020
【図１９】
2021009895.tif 000021
【手続補正書】
【提出日】令和3年7月29日(2021.7.29)
【手続補正１】
【補正対象書類名】明細書
【補正対象項目名】０００６
【補正方法】変更
【補正の内容】
【０００６】
本発明に係る冷蔵庫は、被冷却物が貯蔵される冷蔵室と冷蔵室よりも低温で製氷する製氷室とが形成された箱状の断熱箱体と、冷蔵室と製氷室との間に設けられ、冷蔵室と製氷室との間の熱の伝達を遮断する断熱壁と、を備え、断熱壁には、断熱壁の温度を上昇させる加熱装置が設けられ、製氷室の内部には、氷を製造する製氷部と製氷部が製造した氷を貯蔵する貯氷部とが設けられ、断熱壁は、熱移動を抑制する断熱材からなり、製氷部及び貯氷部を囲む断熱部と、断熱部の外面に格子状に配置され、断熱部の外側の空間を複数の区画領域に区画する複数の長尺状のリブ部材と、リブ部材を覆い、それぞれの区画領域に空気を封止するシーリング部と、を有し、リブ部材は、中空をなしており、加熱装置は、リブ部材の内部に挿入され、リブ部材の温度を上昇させるリブ加熱装置である。
【手続補正２】
【補正対象書類名】特許請求の範囲
【補正対象項目名】全文
【補正方法】変更
【補正の内容】
【特許請求の範囲】
【請求項１】
被冷却物が貯蔵される冷蔵室と前記冷蔵室よりも低温で製氷する製氷室とが形成された箱状の断熱箱体と、
前記冷蔵室と前記製氷室との間に設けられ、前記冷蔵室と前記製氷室との間の熱の伝達を遮断する断熱壁と、を備え、
前記断熱壁には、
前記断熱壁の温度を上昇させる加熱装置が設けられ、
前記製氷室の内部には、
氷を製造する製氷部と前記製氷部が製造した氷を貯蔵する貯氷部とが設けられ、
前記断熱壁は、
熱移動を抑制する断熱材からなり、前記製氷部及び前記貯氷部を囲む断熱部と、
前記断熱部の外面に格子状に配置され、前記断熱部の外側の空間を複数の区画領域に区画する複数の長尺状のリブ部材と、
前記リブ部材を覆い、それぞれの前記区画領域に空気を封止するシーリング部と、を有し、
前記リブ部材は、
中空をなしており、
前記加熱装置は、
前記リブ部材の内部に挿入され、前記リブ部材の温度を上昇させるリブ加熱装置である
冷蔵庫。
【請求項２】
前記リブ加熱装置は、
複数の前記リブ部材に挿入され、
それぞれの前記リブ加熱装置の動作を個別に制御する制御装置を更に備える
請求項１に記載の冷蔵庫。
【請求項３】
前記リブ加熱装置は、
線状に形成され、通電されることで発熱する線ヒータである
請求項１又は請求項２に記載の冷蔵庫。
【請求項４】
被冷却物が貯蔵される冷蔵室と前記冷蔵室よりも低温で製氷する製氷室とが形成された箱状の断熱箱体と、
前記冷蔵室と前記製氷室との間に設けられ、前記冷蔵室と前記製氷室との間の熱の伝達を遮断する断熱壁と、を備え、
前記断熱壁には、
前記断熱壁の温度を上昇させる加熱装置が設けられ、
前記製氷室の内部には、
氷を製造する製氷部と前記製氷部が製造した氷を貯蔵する貯氷部とが設けられ、
前記断熱壁は、
熱移動を抑制する断熱材からなり、前記製氷部及び前記貯氷部を囲む断熱部と、
前記断熱部の外面に格子状に配置され、前記断熱部の外側の空間を複数の区画領域に区画する複数の長尺状のリブ部材と、
前記リブ部材を覆い、それぞれの前記区画領域に空気を封止するシーリング部と、を有し、
前記リブ部材のうち、前記断熱箱体の奥行方向に延びるように設けられる前記リブ部材は、
前記断熱箱体の後方に向かって、低くなるように傾斜している
冷蔵庫。
【請求項５】
前記加熱装置は、
前記断熱部の内部に設けられ、前記断熱部の温度を上昇させる断熱部加熱装置である
請求項１〜請求項４のいずれか１項に記載の冷蔵庫。
【請求項６】
前記加熱装置は、
前記断熱部の外側に設けられ、前記区画領域の温度を上昇させる区画加熱装置である
請求項１〜請求項５のいずれか１項に記載の冷蔵庫。
【請求項７】
被冷却物が貯蔵される冷蔵室と前記冷蔵室よりも低温で製氷する製氷室とが形成された箱状の断熱箱体と、
前記冷蔵室と前記製氷室との間に設けられ、前記冷蔵室と前記製氷室との間の熱の伝達を遮断する断熱壁と、を備え、
前記製氷室の内部には、
氷を製造する製氷部と前記製氷部が製造した氷を貯蔵する貯氷部とが設けられ、
前記断熱壁は、
熱移動を抑制する断熱材からなり、前記製氷部及び前記貯氷部を囲む断熱部と、
前記断熱部の外面に格子状に配置され、前記断熱部の外側の空間を複数の区画領域に区画する複数の長尺状のリブ部材と、
前記リブ部材を覆い、それぞれの前記区画領域に空気を封止するシーリング部と、を有し、
前記リブ部材のうち、前記断熱箱体の奥行方向に延びるように設けられる前記リブ部材は、
前記断熱箱体の後方に向かって、低くなるように傾斜している
冷蔵庫。
【請求項８】
前記断熱壁の幅方向の一側壁は、
前記断熱箱体の内壁に接触すると共に、幅方向の他側壁より厚さが薄い
請求項１〜請求項７のいずれか１項に記載の冷蔵庫。
【請求項９】
前記冷蔵室の温度を切り替える制御装置を更に備える
請求項１〜請求項８のいずれか１項に記載の冷蔵庫。
【国際調査報告】
2021009895.tif 000022
2021009895.tif 000023
2021009895.tif 000024
2021009895.tif 000025